【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
Ａが任意選択的に置換されたピラゾロンであり、Ｄが任意選択的に置換されたベンゾ［１，２−ｂ：４，５−ｂ’］ジチオフェンである、繰り返し単位［Ａ−Ｄ−Ａ］を含むポリマーを除いて、１つ以上の電子供与体単位Ｄｉ及び１つ以上の電子受容体単位Ａｉと、任意選択的に１つ又は２つの末端もしくはエンドキャップ単位Ｔとをその骨格中に含む共役ポリマーであって、ポリマー骨格中の各供与体単位Ｄｉが、末端もしくはエンドキャップ基Ｔに隣接したＤｉ単位を除いては、三つ組Ａｉ−Ｄｉ−Ａｉを形成するために両側に２つの受容体単位Ａｉが配置されている共役ポリマー。
【請求項２】
前記三つ組Ａｉ−Ｄｉ−Ａｉに連結する１つ以上のスペーサ単位Ｓｐｉをその骨格中に含むことを特徴とする、請求項１に記載の共役ポリマー。
【請求項３】
式−［Ａ１−Ｄ１］ｘ−［Ａ２−Ｓｐ１］ｙ−及び−［Ａ１−Ｄ１−Ａ２−Ｓｐ１］−（式中、Ａ１及びＡ２は互いに独立して、受容体単位を意味し、Ｄ１は受容体単位を意味し、Ｓｐ１は、Ｄ１に対して電子受容体として働かず、かつＤ１とは異なるスペーサ単位を意味する）から選択される１つ以上の繰り返し単位、並び、セグメントもしくはブロックをその骨格中に含むことを特徴とする、請求項１又は２に記載の共役ポリマー。
【請求項４】
０＜ｘ＜１、０＜ｙ＜１、ｘ＋ｙ＝１（ここで、ｘは前記セグメントＡ１−Ｄ１のモル比であり、ｙは前記セグメントＡ２−Ｓｐ１のモル比である）であることを特徴とする、請求項３に記載の共役ポリマー。
【請求項５】
条件ｆ≦ｓ／２＋２（式中、ｆは前記ポリマー骨格中の単位Ｄｉの総数であり、ｓは前記ポリマー骨格中の単位Ａｉの総数であり、ｓ≦２である）を満たすことを特徴とする、請求項１〜４のいずれか一項に記載の共役ポリマー。
【請求項６】
前記供与体単位Ｄｉ及び前記受容体単位Ａｉが、単環又は多環であり、非置換であるか又は置換されている、アリーレン単位及びヘテロアリーレン単位から選択されることを特徴とする、請求項１〜５のいずれか一項に記載の共役ポリマー。
【請求項７】
前記供与体単位Ｄｉが、次式：
【化１】
2015518497.tif 000001
（式中、
Ａｒは、共有結合しているか又は縮合している１つ以上の飽和もしくは不飽和環を含み、式Ｉａ及びＩｂ中の末端５員環に縮合して共役系を形成し、非置換であるかもしくは、好適には１つ以上の基Ｒ１で置換されている、炭素環、複素環、芳香族又はヘテロ芳香族基を意味し、
Ａｒ１は、共有結合しているか又は縮合している１つ以上の飽和もしくは不飽和環を含み、式Ｉｇ中の２価の５員環に縮合し、非置換であるかもしくは、好適には１つ以上の基Ｒ１で置換されている、炭素環、複素環、芳香族又はヘテロ芳香族基を意味し、
Ｘ１及びＸ２は互いに独立して、Ｏ、Ｓ、Ｓｅ、Ｓｉ又はＮＲ１を意味し、
Ｙ１〜４は互いに独立して、ＣＲ１又はＮを意味し、
Ｒ１は、Ｈ、ハロゲン、又は１つ以上のＣ原子がヘテロ原子により任意選択的に置換されている任意選択的に置換されたカルビルもしくはヒドロカルビル基を意味し、
Ｒ１１及びＲ１２は互いに独立して、Ｈを意味するか又はＲ１の意味の１つを有する）から選択されることを特徴とする、請求項６に記載の共役ポリマー。
【請求項８】
式Ｉａ、Ｉｂ及びＩｇ中のＡｒ及びＡｒ１が、そのすべてが非置換であるかもしくは請求項７に記載の１つ以上の基Ｒ１で置換されている、ベンゼン、ピラジン、２Ｈ−ピラン、１，４−ジオキサン、ナフタレン、アントラセン、シクロペンタジエン、チオフェン、ピロール、フラン、１Ｈ−シロール、チエノ［３，２−ｂ］チオフェン、チエノ［２，３−ｂ］チオフェン、１，５−ジヒドロ−ｓ−インダセン、１，７−ジヒドロ−ｓ−インダセン、１，５−ジシラ−ｓ−インダセン、１，７−ジシラ−ｓ−インダセン、ピロロ［３，２−ｆ］インドール、ピロロ［２，３−ｆ］インドールから選択されることを特徴とする、請求項７に記載の共役ポリマー。
【請求項９】
前記供与体単位Ｄｉが、次式又はそれらの鏡像：
【化２】
2015518497.tif 000002
2015518497.tif 000003
2015518497.tif 000004
2015518497.tif 000005
2015518497.tif 000006
2015518497.tif 000007
2015518497.tif 000008
（式中、Ｘ１１及びＸ１２の１つはＳであり、他はＳｅであり、Ｒ１１、Ｒ１２、Ｒ１３、Ｒ１４、Ｒ１５、Ｒ１６、Ｒ１６、Ｒ１７及びＲ１８は互いに独立して、請求項７に記載のＲ１の意味の１つを有する）
から選択されることを特徴とする、請求項１〜８のいずれか一項に記載の共役ポリマー。
【請求項１０】
前記供与体単位Ｄｉが、次式
【化３】
2015518497.tif 000009
（式中、Ｒ１〜４は互いに独立して、Ｈ、ハロゲン、又は１つ以上のＣ原子がヘテロ原子により任意選択的に置換されている任意選択的に置換されたカルビルもしくはヒドロカルビル基を意味する）
から選択されることを特徴とする、請求項１〜９のいずれか一項に記載の共役ポリマー。
【請求項１１】
Ｒ１〜４が互いに独立して、Ｈ、ハロゲン、１〜３０個のＣ原子の直鎖、分岐もしくは環式アルキルであって、１つ以上の非隣接ＣＨ２基が、Ｏ及び／又はＳ原子が互いに直接連結しないように−Ｏ−、−Ｓ−、−Ｃ（Ｏ）−、−Ｃ（Ｏ）−Ｏ−、−Ｏ−Ｃ（Ｏ）−、−Ｏ−Ｃ（Ｏ）―Ｏ−、−ＳＯ２−、−ＳＯ３−、−ＮＲ０−、−ＳｉＲ０Ｒ００−、−ＣＦ２−、−ＣＨＲ０＝ＣＲ００−、−ＣＹ１＝ＣＹ２−又は−Ｃ≡Ｃ−により任意選択的に置換され、かつ、１つ以上のＨ原子が、Ｆ、Ｃｌ、Ｂｒ、Ｉ又はＣＮにより任意選択的に置換されているアルキル、又は任意選択的に置換されている、４〜３０の環原子を有するアリールもしくはヘテロアリールからを意味し、ここで、Ｒ０及びＲ００が互いに独立して、Ｈ又は任意選択的に置換されたＣ１〜４０カルビルもしくはヒドロカルビルであり、好適にはＨ又は１〜１２個のＣ原子のアルキルを意味し、Ｙ１及びＹ２がＨ、Ｆ又はＣＮを意味する、請求項１〜１０のいずれか一項に記載のポリマー。
【請求項１２】
前記受容体単位Ａｉが、次式又はそれらの鏡像：
【化４】
2015518497.tif 000010
2015518497.tif 000011
2015518497.tif 000012
2015518497.tif 000013
2015518497.tif 000014
2015518497.tif 000015
2015518497.tif 000016
2015518497.tif 000017
（式中、Ｒ１１、Ｒ１２、Ｒ１３及びＲ１４は互いに独立して、請求項７に記載のＲ１の意味の１つを有する）
から選択されることを特徴とする、請求項１〜１１のいずれか一項に記載の共役ポリマー。
【請求項１３】
式Ａ１、Ａ２、Ａ３、Ａ７、Ａ１５、Ａ１６、Ａ２０、Ａ２１、Ａ３６、Ａ３９、Ａ４０、Ａ７４及びＡ８５から選択される１つ以上の受容体単位Ａｉを含むことを特徴とする、請求項１２に記載の共役ポリマー。
【請求項１４】
前記供与体及び受容体単位Ｄｉ及びＡｉとは異なり、２価の、単環もしくは多環の、及び任意選択的に置換された、アリーレンもしくはヘテロアリーレン、−ＣＹ１＝ＣＹ−又は−Ｃ≡Ｃ−（ここで、Ｙ１及びＹは互いに独立して、Ｈ、Ｆ、Ｃｌ又はＣＮを意味する）から選択される１つ以上のスペーサ単位Ｓｐｉを含むことを特徴とする、請求項１〜１３のいずれか一項に記載の共役ポリマー。
【請求項１５】
前記スペーサ単位Ｓｐｉが、請求項９に記載の式Ｄ１〜Ｄ７２から選択されることを特徴とする、請求項１４に記載の共役ポリマー。
【請求項１６】
次式：
【化５】
2015518497.tif 000018
2015518497.tif 000019
2015518497.tif 000020
（式中、Ｒ、Ｒ’、Ｒ’’及びＲ’’’は、請求項１１に記載のＲ１の意味の１つを有する）から選択される１つ以上のスペーサ単位Ｓｐｉを含むことを特徴とする、請求項１４又は１５に記載の共役ポリマー。
【請求項１７】
式ＩＩ：
−（Ｓｐ２）ｄ−（Ａ２）ｂ−Ｄ１−（Ａ１）ａ−（Ｓｐ１）ｃ−    ＩＩ
（式中、
Ｄ１は、請求項７又は１０に記載の式Ｉａ〜Ｉｇ又はＩａ１、Ｉａ２もしくはＩａ３から選択される第１単位であり、
Ａ１及びＡ２は互いに独立して、Ｄ１、Ｓｐ１及びＳｐ２とは異なり、単環もしくは多環であり、及び任意選択的に置換されているアリーレンもしくはヘテロアリーレンから選択されるか、又は請求項１２に記載の式Ａ１〜Ａ９６から選択される受容体単位を意味し、
Ｓｐ１及びＳｐ２は互いに独立して、Ｄ１、Ａ１及びＡ２とは異なり、単環もしくは多環であり、及び任意選択的に置換されているアリーレンもしくはヘテロアリーレンから選択されるか、又は請求項９に記載の式Ｄ１〜Ｄ７２からもしくは請求項１６に記載の式Ｓｐ１〜Ｓｐ２２から選択される、スペーサ単位を意味するか、又は−ＣＹ１＝ＣＹ２−もしくは−Ｃ≡Ｃ−を意味し、
Ｙ１及びＹ２は互いに独立して、Ｈ、Ｆ、Ｃｌ又はＣＮを意味し、
ａ、ｂは互いに独立して、１、２、３又は４を意味し、
ｃ、ｄは互いに独立して、０、１、２、３又は４を意味する）
の１つ以上の繰り返し単位をその骨格中に含むことを特徴とする、請求項１〜１６のいずれか一項に記載の共役ポリマー。
【請求項１８】
式ＩＩＩ１、ＩＩＩ２、ＩＩＩ３及びＩＩＩ４から選択される１つ以上の繰り返し単位、ならびに任意選択的に式ＩＩＩ５もしくはＩＩＩ６、又はそれらのそれぞれの鏡像の１つ以上の繰り返し単位：
−Ｄ１−（Ａ１）ａ−                              ＩＩＩ１
（Ａ１）ａ−Ｄ１−（Ａ２）ｂ−                      ＩＩＩ２
−（Ａ１）ａ−Ｄ１−（Ａ２）ｂ−（Ｓｐ１）ｃ−        ＩＩＩ３
−（Ａ１）ａ−Ｄ１−（Ａ２）ｂ−（Ｓｐ１）ｃ−（Ａ１）ａ−（Ｓｐ２）ｄ−  ＩＩＩ４
−（Ｓｐ１）ｃ−（Ａ１）ａ−（Ｓｐ２）ｄ−            ＩＩＩ５
−（Ｓｐ１）ｃ−（Ａ１）ａ−                        ＩＩＩ６
（式中、Ｄ１、Ａ１、Ｓｐ１、ａ及びｃは、請求項１７に記載の通りであり、ここで、単位Ｄ１は単位Ｓｐ１に連結していない）
をその骨格中に含むことを特徴とする、請求項１〜１７のいずれか一項に記載の共役ポリマー。
【請求項１９】
式ＩＶ１又はＩＶ２：
＊−［（Ｓｐ２）ｄ−（Ａ２）ｂ−Ｄ１−（Ａ１）ａ−（Ｓｐ１）ｃ］ｎ−＊    ＩＶ１
＊−［（Ａ１）ａ−Ｄ１−（Ａ２）ｂ−（Ｓｐ１）ｃ−（Ａ１）ａ−（Ｓｐ２）ｄ］ｎ−＊    ＩＶ２
（式中、Ｄ１、Ａ１、Ａ２、Ｓｐ１、Ｓｐ２、ａ、ｂ、ｃ及びｄは、請求項１７で定義された通りであり、ｎは、１超の整数である）
から選択されることを特徴とする、請求項１〜１８のいずれか一項に記載の共役ポリマー。
【請求項２０】
次式
＊−［（Ａ）ｘ−（Ｂ）ｙ−（Ｃ）ｚ］ｎ−＊
（式中、Ｄ１、Ａ１、Ａ２、Ｓｐ１、Ｓｐ２、ａ、ｂ、ｃ及びｄは、請求項１７に記載の通りであり、
Ａは、請求項１８に記載の式ＩＩＩ１，ＩＩＩ２、ＩＩＩ３もしくはＩＩＩ４又はその鏡像の単位であり、
Ｂ及びＣは互いに独立して、請求項１８に記載の式ＩＩＩ５もしくはＩＩＩ６又はその鏡像の単位であり、
ｘは、０超及び１未満であり、
ｙは、０超及び１未満であり、
ｚは、０以上及び１超であり、
ｙ≧ｘであり、
ｘ＋ｙ＋ｚは１であり、
ｎは１超の整数であり、
ここで、単位Ｄ１は単位Ｓｐ１に連結していない）
から選択されることを特徴とする、請求項１〜１９のいずれか一項に記載の共役ポリマー。
【請求項２１】
次式
【化６】
2015518497.tif 000021
（式中、Ｄ１、Ａ１、Ｓｐ１、ａ、ｃ、ｘ、ｙ及びｎは、請求項１７に記載の通りである）
から選択されることを特徴とする、請求項１〜２０のいずれか一項に記載の共役ポリマー。
【請求項２２】
次式
【化７】
2015518497.tif 000022
2015518497.tif 000023
2015518497.tif 000024
2015518497.tif 000025
2015518497.tif 000026
（式中、Ｘ１及びＸ２は互いに独立して、ＮＲ、Ｏ、Ｓ又はＳｅであり、Ｙ１及びＹ２は互いに独立して、Ｎ、ＣＨ又はＣＲであり、Ｚ１は互いに独立して、Ｃ、Ｓｉ又はＧｅであり、Ｗ１及びＷ２は互いに独立して、Ｏ、Ｓ又はＳｅであり、Ｒ１〜４は、請求項７又は１０に記載の意味を有し、Ｒは、請求項７又は１０のＲ１の意味の１つを有し、ｘ、ｙ及びｎは請求項２０に記載の通りである）
から選択されることを特徴とする、請求項１〜２１のいずれか一項に記載の共役ポリマー。
【請求項２３】
次のサブ式
【化８】
2015518497.tif 000027
2015518497.tif 000028
2015518497.tif 000029
2015518497.tif 000030
2015518497.tif 000031
2015518497.tif 000032
2015518497.tif 000033
2015518497.tif 000034
2015518497.tif 000035
2015518497.tif 000036
2015518497.tif 000037
（式中、Ｒ１〜４、Ｒ、Ｒ’、ｘ、ｙ及びｎは、請求項２２に記載の通りである）
から選択されることを特徴とする、請求項１〜２２のいずれか一項に記載の共役ポリマー。
【請求項２４】
式ＶＩ
Ｒ５−鎖−Ｒ６    ＶＩ
［式中、「鎖」は、請求項１９〜２３に記載のポリマー鎖を意味し、Ｒ５及びＲ６は互いに独立して、請求項７もしくは１０のＲ１の意味の１つを有するか、又は、互いに独立して、Ｈ、Ｆ、Ｂｒ、Ｃｌ、Ｉ、−ＣＨ２Ｃｌ、−ＣＨＯ、−ＣＲａ＝ＣＲｂ２、−ＳｉＲａＲｂＲｃ、−ＳｉＲａＸａＸｂ、ＳｉＲａＲｂＸａ、−ＳｎＲａＲｂＲｃ、−ＢＲａＲｂ、−Ｂ（ＯＲａ）（ＯＲｃ）、−Ｂ（ＯＨ）２、−Ｏ−ＳＯ２−Ｒａ、−Ｃ≡ＣＨ、−Ｃ≡Ｃ−ＳｉＲａ３、−ＭｇＸａ、−ＺｎＸａ、又はエンドキャップ基を意味し、ここで、Ｘａ及びＸｂはハロゲンを意味し、Ｒａ、Ｒｂ及びＲｃは互いに独立して、Ｈ又は１〜２０個のＣ原子のアルキルを意味し、Ｒａ、Ｒｂ及びＲｃの２つはまた、それらが結合しているヘテロ原子と一緒に脂肪族環を形成してもよい］
から選択されることを特徴とする、請求項１〜２３のいずれか一項に記載の共役ポリマー。
【請求項２５】
請求項１〜２４のいずれか一項に記載の１つ以上のポリマーと、半導、電荷輸送、正孔／電子輸送、正孔／電子遮断、導電、光伝導又は発光特性を有する１つ以上の化合物もしくはポリマーとを含む混合物又はポリマーブレンド。
【請求項２６】
請求項１〜２４のいずれか一項に記載の１つ以上のポリマーと、１つ以上のｎ型有機半導体化合物とを含むことを特徴とする、請求項２５に記載の混合物又はポリマーブレンド。
【請求項２７】
前記ｎ型有機半導体化合物が、フラーレン、置換フラーレン、グラフェン及び金属酸化物からなる群から選択されることを特徴とする、請求項２６に記載の混合物又はポリマーブレンド。
【請求項２８】
前記ｎ型有機半導体化合物が、ＰＣＢＭ−Ｃ６０、ＰＣＢＭ−Ｃ７０、ビス−ＰＣＢＭ−Ｃ６０、ビス−ＰＣＢＭ−Ｃ７０、ＩＣＭＡ−Ｃ６０、ＩＣＭＡ−Ｃ７０、ＩＣＢＡ−Ｃ６０、ＩＣＢＡ−Ｃ７０、ｏＱＤＭ−Ｃ６０、ｏＱＤＭ−Ｃ７０、ビス−ｏＱＤＭ−Ｃ６０、ビス−ｏＱＤＭ−Ｃ７０、グラフェン、ＺｎＯｘ、ＴｉＯｘ、ＺＴＯ、ＭｏＯｘ、ＮｉＯｘ、ＣｄＳｅ、ＣｄＳからなる群から選択されることを特徴とする、請求項２７に記載の混合物又はポリマーブレンド。
【請求項２９】
請求項１〜２８のいずれか一項に記載の１つ以上のポリマー、混合物又はポリマーブレンドと、有機溶剤から好適には選択される、１つ以上の溶媒とを含む調合物。
【請求項３０】
光学、電気光学、電子、エレクトロルミネセントもしくはフォトルミネセントデバイスでの、又はかかるデバイスの構成要素での、又はかかるデバイスもしくは構成要素を含むアセンブリでの電荷輸送、半導、導電、光伝導もしくは発光材料としての請求項１〜２９のいずれか一項に記載のポリマー、混合物、ポリマーブレンド又は調合物の使用。
【請求項３１】
請求項１〜２９のいずれか一項に記載のポリマー、混合物、ポリマーブレンドもしくは調合物を含む電荷輸送、半導、導電、光伝導もしくは発光材料。
【請求項３２】
電荷輸送、半導、導電、光伝導もしくは発光材料を含む、又は請求項１〜２９及び３１のいずれか一項に記載のポリマー、混合物、ポリマーブレンドもしくは調合物を含む、光学、電気光学、電子、エレクトロルミネセントもしくはフォトルミネセントデバイス、又はその構成要素、又はそれを含むアセンブリ。
【請求項３３】
有機電界効果トランジスタ（ＯＦＥＴ）、有機薄膜トランジスタ（ＯＴＦＴ）、有機発光ダイオード（ＯＬＥＤ）、有機発光トランジスタ（ＯＬＥＴ）、有機太陽電池デバイス（ＯＰＶ）、有機太陽電池、レーザダイオード、有機プラズモン−発光ダイオード（ＯＰＥＤ）、ショットキーダイオード、有機光伝導体（ＯＰＣ）及び有機光検出器（ＯＰＤ）から選択される、請求項３２に記載の光学、電気光学、電子、エレクトロルミネセント又はフォトルミネセントデバイス。
【請求項３４】
ＯＦＥＴ、バルクヘテロ接合（ＢＨＪ）ＯＰＶデバイス又は逆型ＢＨＪ  ＯＰＶデバイスである、請求項３２又は３３に記載のデバイス。
【請求項３５】
電荷注入層、電荷輸送層、中間層、平坦化層、帯電防止フィルム、高分子電解質膜（ＰＥＭ）、導電性基板及び導電性パターンから選択される、請求項３２に記載の構成要素。
【請求項３６】
集積回路（ＩＣ）、無線自動識別（ＲＦＩＤ）タグもしくはセキュリティマーキング又はそれらを含有する保安装置、フラットパネル・ディスプレイ又はそれらのバックライト、電子写真デバイス、電子写真記録デバイス、有機記憶デバイス、センサーデバイス、バイオセンサー及びバイオチップから選択される、請求項３２に記載のアセンブリ。
【請求項３７】
バッテリーでの、又はＤＮＡ配列を検出及び識別するための構成要素もしくはデバイス
での電極材料としての請求項１〜２９のいずれか一項に記載のポリマー、混合物、ポリマーブレンドもしくは調合物の使用。
【請求項３８】
式ＶＩＩ
Ｒ７−（Ｓｐ２）ｄ−（Ａ２）ｂ−Ｄ１−（Ａ１）ａ−（Ｓｐ１）ｃ−Ｒ８    ＶＩＩ［式中、Ｄ１、Ａ１、Ａ２、Ｓｐ１、Ｓｐ２、ａ、ｂ、ｃ及びｄは、請求項１７の意味を有し、Ｒ７及びＲ８は互いに独立して、Ｈ、Ｃｌ、Ｂｒ、Ｉ、Ｏ−トシレート、Ｏ−トリフレート、Ｏ−メシレート、Ｏ−ノナフレート、−ＳｉＭｅ２Ｆ、−ＳｉＭｅＦ２、−Ｏ−ＳＯ２Ｚ１、−Ｂ（ＯＺ２）２、−ＣＺ３＝Ｃ（Ｚ３）２、−Ｃ≡ＣＨ、−Ｃ≡ＣＳｉ（Ｚ１）３、−ＭｇＸａ、−ＺｎＸａ及び−Ｓｎ（Ｚ４）３からなる群から選択され、ここで、Ｘａは、ハロゲン、好適にはＣｌ、Ｂｒ又はＩであり、Ｚ１〜４は、それぞれ任意選択的に置換されている、アルキル及びアリールからなる群から選択され、２つの基Ｚ２はまた一緒に環式基を形成してもよい］
のモノマー。
【請求項３９】
次式
Ｒ７−Ａ２−Ｄ１−Ａ１−Ｒ８                    ＶＩＩ１
Ｒ７−Ｓｐ２−Ａ２−Ｄ１−Ｒ８                  ＶＩＩ２
Ｒ７−Ｄ１−Ａ１−Ｓｐ１−Ｒ８                  ＶＩＩ３
Ｒ７−Ｓｐ２−Ａ２−Ｄ１−Ａ１−Ｒ８                    ＶＩＩ４
Ｒ７−Ａ２−Ｄ１−Ａ１−Ｓｐ１−Ｒ８                    ＶＩＩ５
Ｒ７−Ｓｐ２−Ａ２−Ｄ１−Ａ１−Ｓｐ１−Ｒ８            ＶＩＩ６
（式中、Ｄ１、Ａ１、Ａ２、Ｓｐ１、Ｒ７、Ｒ８、ａ、ｂ及びｃは、請求項３８に記載の通りである）
から選択される、請求項３８に記載のモノマー。
【請求項４０】
Ｒ７及びＲ８が、Ｃｌ、Ｂｒ、Ｉ、−Ｂ（ＯＺ２）２及び−Ｓｎ（Ｚ４）３から選択される、請求項３８又は３９に記載の１つ以上のモノマーを、互いに又は１つ以上のコモノマーとアリール−アリールカップリング反応で結合させることによる、請求項１〜２４のいずれか一項に記載のポリマーの製造方法。